(57)【要約】【課題】簡単に短時間でできる配線方法と、その配線に使用される支持線付きＶＶＦケーブルを使用したユニットケーブルとを提供する。【解決手段】本発明の屋内配線用ユニットケーブルの配線方法は、一方の端部がジョイントボックスに接続され、シースで被覆された支持線付きのケーブルの支持線を引っ張り、該ケーブルの立ち下げ部から他端の分電盤、電灯又はコンセントまでの長さの支持線をケーブルのシースから引き裂いて分離し、立ち下げ部からケーブルを引き下げる。【選択図】      図３
2004357365.tif 000002
【特許請求の範囲】
【請求項１】
一方の端部がジョイントボックスに接続され、シースで被覆された支持線付きのケーブルの支持線を引っ張り、該ケーブルの立ち下げ部から他端の分電盤、電灯又はコンセントまでの長さの支持線を前記ケーブルのシースから引き裂いて分離し、前記立ち下げ部からケーブルを引き下げることを特徴とする屋内配線用ユニットケーブルの配線方法。
【請求項２】
線心と、該線心に並列に隔離して配置された支持線と、前記線心と前記支持線とを共に被覆する被覆材とを有するケーブルであって、
前記被覆材は、前記支持線を前記線心から離れるように引っ張ることによって前記支持線が前記ケーブルから分離されるようになっていることを特徴とする屋内配線用ユニットケーブル。
【請求項３】
前記ケーブルの支持線は、高張力体を含むことを特徴とする請求項２に記載の屋内配線用ユニットケーブル。
【請求項４】
前記高張力体は、鋼線、ＦＲＰ及びアラミド繊維の少なくとも１つの材料から成ることを特徴とする請求項３に記載の屋内配線用ユニットケーブル。
【発明の詳細な説明】
【０００１】
【発明の属する技術分野】
本発明は、簡単で短時間でできる配線方法と、その配線に使用される支持線付きＶＶＦケーブルを使用したユニットケーブルに関する。
【０００２】
【従来の技術】
図７に従来の屋内配線用ケーブル（以下ユニットケーブル）の構造図の一例を示す。ＶＶＦケーブル３を並列に並べ、絶縁体７で被覆された各々の導体６を圧着スリーブ４で接続し、回路結線を行う。絶縁チューブ５により、各圧着スリーブ４間の絶縁をする。回路結線、絶縁を行った結線部をジョイントボックス１に収納し、熱硬化樹脂２をジョイントボックス１に注入する。このことにより、結線部の保護及び結線部のジョイントボックス１の固定を行っている。また、ユニットケーブル９の配線方法としては、図５、図６に示す方法がある。
【０００３】
図５に示す配線方法は、ＶＶＦケーブル３を天井や壁に対して直接ステップル２０などで固定する方法である。この方法によれば、まず、ユニットケーブルのジョイントボックス１を好適な場所に設置し、このジョイントボックス１から分電盤８、電灯１０や、コンセント１１に向かってＶＶＦケーブル１を引っ張り、ＶＶＦケーブル１を直接ステップル１６などで固定する方法である。
【０００４】
図６の配線方法では、まず、予め鋼線１２を天井にマス目状に配線する。その後、この鋼線１２に沿って、ＶＶＦケーブルを配置し、ＶＶＦケーブル３を鋼線１２にビニールテープなどにより固定する方法である。
【０００５】
【特許文献１】
特開２００１−６１２１８号（第３頁、図２）
【０００６】
【発明が解決しようとする課題】
しかしながら、図５の配線方法では、ＶＶＦケーブル３を天井へ固定する作業が面倒で時間がかかる。又必要以上にステップル１６を打ち付けるようなことがあった場合、ＶＶＦケーブル３が傷付けられ、ＶＶＦケーブル３の特性に悪影響を与えることがある。
図６の配線方法では、予め天井にマス目状に鋼線１２を張る作業が必要となる、また、作業工程が増えるとともに、ＶＶＦケーブル３をマス目通りに配線しなければならないので、必要とされる以上の長さが必要になり、ＶＶＦケーブル３を無駄に消費することになる。
また、複数本のＶＶＦケーブル３が同じ鋼線１２に束ねられているところでは、電気抵抗による熱が蓄熱しやすくなり、安全性が欠けるという問題があった。
【０００７】
さらに、上記特許文献１には、ワイヤーハーネス固定クランプが開示されており、ケーブル本体部及び支持線からなる自己支持ケーブルが示されている。しかしながら、このケーブルにおいて、支持線とケーブル本体部が分離するように構成されていることは示されていない。
【０００８】
本発明の目的は、上記従来技術の問題点に着目して関してなされたもので、簡単で短時間でできる配線方法と、その配線に使用される支持線付きＶＶＦケーブルを使用したユニットケーブルとを提供することである。
【０００９】
【課題を解決するための手段】
本発明に係る上記課題は、一方の端部がジョイントボックスに接続され、シースで被覆された支持線付きのケーブルの支持線を引っ張り、ケーブルの立ち下げ部から他端の分電盤、電灯又はコンセントまでの長さの支持線をケーブルのシースから引き裂いて分離し、立ち下げ部からケーブルを引き下げることを特徴とする屋内配線用ユニットケーブルの配線方法によって達成される。
【００１０】
前記構成の屋内配線用ユニットケーブルの配線方法によれば、シースは、支持線で引き裂ける構造になっているので、壁から電灯等の位置までシースを引き裂くことにより、任意の選択位置からＶＶＦケーブルを引き下げることができ、ケーブルを無駄に消費することがない。
また、ＶＶＦケーブルを天井などに固定する必要がないので、ＶＶＦケーブルが変形等することによるケーブルへの影響がない。
さらに、鋼線を予め配線する必要がないので、短時間で容易に配線が可能となり、ケーブルが束ねられることがないので、束ねられた部分で生じることがある電気抵抗による熱の蓄熱が生じない。
【００１１】
また、本発明に係る上記課題は、線心と、該線心に並列に隔離して配置された支持線と、線心と支持線とを共に被覆する被覆材とを有するケーブルであって、前記被覆材は、前記支持線を前記線心から離れるように引っ張ることによって前記支持線が前記ケーブルから分離されるようになっていることを特徴とする屋内配線用ユニットケーブルによって達成される。
また、好ましくは前記ケーブルの支持線は、高張力体を含み、この高張力体は、鋼線、ＦＲＰ及びアラミド繊維の少なくとも１つの材料から成る。
【００１２】
前記構成の屋内配線用ユニットケーブルによれば、ＶＶＦケーブルのシースは、高張力体を含む支持線で引き裂ける構造になっており、壁から電灯等の位置までシースを引き裂くことにより、所定の位置からＶＶＦケーブルを引き下げることができる。したがって、ケーブルの無駄が生じない。
また、ＶＶＦケーブルを天井などに固定する必要がないので、ＶＶＦケーブルに悪影響を与えることがない。
さらに、鋼線を予め配線する必要がないので、短時間で簡単に配線ができ、ケーブルが束ねられることがないので、電気抵抗による熱が蓄熱することもない。
【００１３】
【発明の実施の形態】
以下、本発明の屋内配線用ユニットケーブルの配線方法及び屋内配線用ユニットケーブルの実施形態を図１〜４に基づいて詳細に説明する。図１は本発明の屋内配線ケーブルを使用したユニットケーブルの正面図、図２（Ａ）は、従来技術のＶＶＦケーブルの断面図であり、図２（Ｂ）は、本発明による支持線付きＶＶＦケーブルの断面図、図３は本発明の屋内配線ケーブルの配線方法を示す説明図、図４は本発明の電灯部分の配線構造を示す断面図である。
【００１４】
図１に示すように本実施形態の屋内配線用ケーブル（以下ユニットケーブル）を構成するＶＶＦケーブル１３は、並列に並べられ、絶縁体７で被覆された各々の導体６が圧着スリーブ４で接続されて回路結線が行われる。また、絶縁チューブ５により、各圧着スリーブ間の絶縁が行われる。そして、回路結線、絶縁を行った結線部はジョイントボックス１に収納され、熱硬化樹脂２をジョイントボックス１内に注入する。これにより、結線部の保護及び結線部のジョイントボックス１への固定が行われる。
【００１５】
図２（Ｂ）に示すように、本実施形態のＶＶＦケーブル１３の配線方法は、鋼線、ＦＲＰ、アラミド繊維などの抗張力体を支持線１４が線心としての導体６及び絶縁体７とともにシース１５で被覆されたＶＶＦケーブル１３を使用する。なお、図２（Ａ）は支持線１４を有していない従来の技術によるＶＶＦケーブルである。
【００１６】
次に、図３に基づいてユニットケーブルの配線方法を説明する。
先ず、従来のユニットケーブル配線方法と同じように、ジョイントボックス１を適切な場所に固定する。そして、ジョイントボックス１から分電盤８、電灯１０や、コンセント１１に向かってＶＶＦケーブル１３の支持線１４を引っ張り、その延長にある壁の位置に、ステップル１６等を打ち付けて固定する。
【００１７】
次に、ＶＶＦケーブル１３のシース１５は、性能上必要な厚さを残して、支持線１４で引き裂ける構造になっており、壁から電灯１０等の位置までシース１５を引き裂くことにより、所定の位置からＶＶＦケーブル１３を引き下げることができる。支持線１４を引っ張るので、ＶＶＦケーブル１３に引張力を加えることがなく、導体が伸びることによる電気特性の劣化がない。
【００１８】
図４に示すように、ＶＶＦケーブル１３は、ジョイントボックス１に設けられた穴（図示せず）を使って、ボルト等で固定する。ケーブル１３のシース１５を支持線１４によって電灯１０に位置まで引き裂き、所定の位置からＶＶＦケーブル１３を引き下げ、天井板１７を通して電灯１０に接続する。
このような配線方法によれば、ＶＶＦケーブル１３を配線しない場所に、鋼線１２等を配線する手間がなく、簡単に短時間で配線ができる。また、ＶＶＦケーブル１３が束ねられることがないので、電気抵抗による熱が蓄積することもない。
【００１９】
上述したように、本実施形態の屋内配線用ケーブルの配線方法は、従来の配線方法より簡単に短時間で、ＶＶＦケーブルの特性を損なわないように配線することができる。
【００２０】
なお、本発明は上記実施形態に制限されず、適宜変更することが可能である。例えば、ケーブルを３心として説明したが、異なる数の線心を使用することができる。また、支持線付きのケーブルの形状及び寸法は、任意に選択できる。
【００２１】
【発明の効果】
以上説明したように本発明の屋内配線用ユニットケーブルの配線方法によれば、一方の端部がジョイントボックスに接続され、シースで被覆された支持線付きのケーブルの支持線を引っ張り、該ケーブルの立ち下げ部から他端の分電盤、電灯又はコンセントまでの長さの支持線をケーブルのシースから引き裂いて分離し、立ち下げ部からケーブルを引き下げる。
したがって、壁から電灯等の位置までシースを引き裂くことにより、所定の位置からＶＶＦケーブルを引き下げることができる。また、ＶＶＦケーブルを天井などに固定する必要がないので、ＶＶＦケーブルが変形等することによる影響を与えることがない。さらに、鋼線を予め配線する必要がないので、短時間で容易に配線が可能となり、ケーブルが束ねられることがないので、束ねられた部分で生じることがある電気抵抗による熱の蓄熱が生じない。また、ケーブルを設置するときに、抗張力体を有する支持線を引っ張るので、ケーブルに引っ張り力を加えることなく、導体が伸びることによる電気特性の劣化が生じない。
【００２２】
また、本発明の屋内配線用ユニットケーブルによれば、線心と、該線心に並列に隔離して配置された支持線と、線心と支持線とを共に被覆する被覆材と、を有し、被覆材は、支持線を線心から離れるように引っ張ることによって支持線がケーブルから分離されるようになっている。
したがって、壁から電灯等の位置までシースを引き裂くことにより、所定の位置からＶＶＦケーブルを引き下げることができる。また、ＶＶＦケーブルを天井などに固定する必要がないので、ＶＶＦケーブルに力が加えられることがない。さらに、鋼線を予め配線する必要がないので、配線が容易になり、ケーブルが束ねられることがなく、熱の蓄熱が生じない。
【図面の簡単な説明】
【図１】本発明の屋内配線ケーブルを使用したユニットケーブルの正面図である。
【図２】（Ａ）図は従来技術のＶＶＦケーブルの断面図であり、（Ｂ）図は本発明による支持線付きＶＶＦケーブルの断面図である。
【図３】本発明の屋内配線ケーブルの配線方法を示す説明図である。
【図４】本発明の電灯部分の配線構造を示す断面図である。
【図５】従来のユニットケーブルの配線方法を示す説明図である。
【図６】従来の別のユニットケーブルの配線方法を示す説明図である。
【図７】従来の屋内配線ケーブルを使用したユニットケーブルの正面図である。
【符号の説明】
１    ジョイントボックス
２    熱硬化性樹脂
３    ＶＶＦケーブル
４    圧着スリーブ
５    絶縁チューブ
６    導体
７    絶縁体
８    分電盤
９    ユニットケーブル
１０  電灯
１１  コンセント
１２  鋼線
１３  支持線付きＶＶＦケーブル
１４  支持線
１５  シース
１６  ステップル
１７  天井板
【図１】
2004357365.tif 000003
【図２】
2004357365.tif 000004
【図３】
2004357365.tif 000005
【図４】
2004357365.tif 000006
【図５】
2004357365.tif 000007
【図６】
2004357365.tif 000008
【図７】
2004357365.tif 000009